(57)【特許請求の範囲】
【請求項１】
浴槽が設置された浴槽スペースと、
この浴槽スペースに隣接して設けられた洗面スペースと、
この洗面スペースに設置され、かつ一部分が前記浴槽の前側フランジ部の長手方向一端部の上側に重なって位置するオーバラップ部とされている洗面ボウルと、
を備えている、ユニットルームであって、
前記浴槽の前側フランジ部の上方領域のうち、前記洗面ボウルのオーバラップ部よりも前記前側フランジ部の長手方向他端部寄りに位置する第１の領域を開閉可能とする扉状の第１の仕切りと、
前記洗面ボウルのオーバラップ部の上方の第２の領域を開閉可能とする扉状の第２の仕切りと、
を備えていることを特徴とする、ユニットルーム。
【請求項２】
請求項１に記載のユニットルームであって、
前記洗面ボウルと前記浴槽の前側フランジ部との間に形成された隙間としての第３の領域を塞ぐように設けられた第３の仕切りを、さらに備えている、ユニットルーム。
【請求項３】
請求項１または２に記載のユニットルームであって、
前記第１の仕切りは、前記第１の領域を開放状態とする際には、前記前側フランジ部の長手方向他端部側において折り畳んだ状態に設定可能な構成とされている、ユニットルーム。
【請求項４】
請求項３に記載のユニットルームであって、
前記第１の仕切りは、パネル状の複数の仕切り本体部が水平方向の回転を可能とする第１のヒンジ部を介して連結された構成とされ、
前記第１の仕切りよりも上側の箇所および前記浴槽の前側フランジ部には、前記複数の仕切り本体部のうち、基端側に位置する１つの仕切り本体部の基端部を水平方向に回転可能に支持する上下一組の軸部、および先端側に位置する他の１つの仕切り本体部の先端部を前記前側フランジ部の長手方向にスライドガイドするための上下一組のスライドガイドレールが設けられ、前記第１の仕切りの全体を、前記前側フランジ部の長手方向に延ばした状態と、２つ折りまたはそれ以上の折り数で折り畳んだ状態とに切り替え設定可能とされている、ユニットルーム。
【請求項５】
請求項１ないし４のいずれかに記載のユニットルームであって、
前記第２の仕切りは、水平方向の回転を可能とする第２のヒンジ部を介して前記第１の仕切りに連結されている、ユニットルーム。
【発明の詳細な説明】
【技術分野】
【０００１】
本発明は、浴槽設置スペースと洗面スペースとを備えたユニットルームに関する。
【背景技術】
【０００２】
たとえば、ホテルにおける客室用のバスルームとしては、浴槽設置スペースと洗面スペースとを一纏めにして備えたユニットルームがよく用いられている。多くの場合、洗面スペースには、洗面ボウルに加え、便器なども設置されている。このようなユニットルームにおいては、浴槽内でシャワーを浴びた際に、洗面スペースの床や壁に湯水が飛び散ることを防ぐ手段として、シャワー用カーテンを利用するのが一般的である。ただし、このような手段では、湯水の飛散防止効果が低く、洗面スペースの床や壁が濡れることを十分に防止することは難しい。また、濡れたシャワー用カーテンが入浴者の身体にまとわり付いて不快感を生じさせる不具合や、シャワー用カーテンの清掃が容易ではないといった不具合もある。
【０００３】
そこで、従来においては、たとえば特許文献１に記載されている手段がある。
同文献に記載の手段においては、浴槽スペースと洗面スペースとの間を、パネル状の仕切り、およびこの仕切りに支持された開閉扉を利用して仕切るようにしている。開閉扉の取り付けは、浴槽のエプロン部に切欠き部を形成し、かつこの切欠き部に開閉扉の下部が進入するように設定している。
このような構成によれば、シャワーカーテンを利用していた場合に生じる上述したような不具合を防止することが可能である。
【０００４】
しかしながら、従来においては、次に述べるように未だ改善すべき余地があった。
【０００５】
すなわち、ユニットルームとしては、様々な事情から、機能性を大きく損なうようなことなく、ユニットルーム全体のサイズをかなり小さくしたい場合がある。このような要望に応えるための一手段として、洗面ボウルの一部分を、浴槽の前側フランジ部の上側に重なるようにオーバラップさせる手段がある。このような手段によれば、オーバラップ寸法分だけ、洗面スペースを小さくすることが可能である。
ところが、このような手段を採用する場合において、特許文献１に記載の手段を採用しようとすると、洗面ボウルの一部（オーバラップ部）と仕切りとが不当に干渉する。このため、特許文献１に記載の手段をそのまま適用することは困難であり、浴槽スペース側から洗面スペース側に湯水が飛散するなどの不具合を適切に防止することはできない。
【先行技術文献】
【特許文献】
【０００６】
【特許文献１】実用新案登録第３１８１９６９号公報
【発明の概要】
【発明が解決しようとする課題】
【０００７】
本発明は、前記したような事情のもとで考え出されたものであり、洗面ボウルの一部が浴槽の上側に重なった配置に設けられている場合であっても、浴槽スペース側から洗面スペース側に湯水が飛散するなどの不具合を適切に防止または抑制することが可能なユニットルームを提供することを、その課題としている。
【課題を解決するための手段】
【０００８】
上記の課題を解決するため、本発明では、次の技術的手段を講じている。
【０００９】
本発明により提供されるユニットルームは、浴槽が設置された浴槽スペースと、この浴槽スペースに隣接して設けられた洗面スペースと、この洗面スペースに設置され、かつ一部分が前記浴槽の前側フランジ部の長手方向一端部の上側に重なって位置するオーバラップ部とされている洗面ボウルと、を備えている、ユニットルームであって、前記浴槽の前側フランジ部の上方領域のうち、前記洗面ボウルのオーバラップ部よりも前記前側フランジ部の長手方向他端部寄りに位置する第１の領域を開閉可能とする扉状の第１の仕切りと、前記洗面ボウルのオーバラップ部の上方の第２の領域を開閉可能とする扉状の第２の仕切りと、を備えていることを特徴としている。
前記浴槽の前側フランジ部は、前記浴槽のフランジ部のうち、前記洗面スペース側に位置するフランジ部である。
【００１０】
このような構成によれば、洗面ボウルの一部分が、浴槽の前側フランジ部の上側に重なったオーバラップ部とされていることにより、浴槽と洗面ボウルとの配置スペース効率を高めて全体の小サイズ化を好適に促進し得ることに加え、次のような効果がさらに得られる。
すなわち、浴槽を使用しない通常時においては、浴槽の前側フランジ部の上方の第１および第２の領域の双方を開放状態としておくことができる。その一方、浴槽スペースにおいてたとえばシャワーを浴びるような際には、第１および第２の仕切りによって第１および第２の領域を閉塞し、浴槽スペースと洗面スペースとの間を適切に仕切ることができる。このため、浴槽スペースから洗面スペース側にシャワー水などが飛散して洗面スペースの床や壁が濡れるといったことを防止することができる。本発明においては、浴槽スペースと洗面スペースとの間を仕切るための手段として、第１および第２の領域に対してそれぞれ個別に対応した第１および第２の仕切りを用いているため、これら第１および第２の仕切りと洗面ボウルとの干渉を適切に回避し、前記した効果を適切に得ることが可能である。なお、第１および第２の仕切りを用いる手段によれば、シャワーカーテンを用いる場合の不具合（濡れたシャワーカーテンが入浴者の身体にまとわり付いたり、シャワーカーテンの清掃が容易ではないなどの不具合）も適切に解消することが可能である。
【００１１】
本発明において、好ましくは、前記洗面ボウルと前記浴槽の前側フランジ部との間に形成された隙間としての第３の領域を塞ぐように設けられた第３の仕切りを、さらに備えている。
【００１２】
このような構成によれば、洗面ボウルと浴槽の前側フランジ部との間に形成された隙間（第３の領域）を介して、浴槽スペースから洗面スペース側にシャワー水などが飛散するといったことも適切に防止することができる。
【００１３】
本発明において、好ましくは、前記第１の仕切りは、前記第１の領域を開放状態とする際には、前記前側フランジ部の長手方向他端部側において折り畳んだ状態に設定可能な構成とされている。
【００１４】
このような構成によれば、第１の領域を開放状態とする際に、第１の仕切りを洗面ボウルとは反対側の位置で折り畳んだ状態とすることができるために、第１の領域を広い面積で開放させることができる。
【００１５】
本発明において、好ましくは、前記第１の仕切りは、パネル状の複数の仕切り本体部が水平方向の回転を可能とする第１のヒンジ部を介して連結された構成とされ、前記第１の仕切りよりも上側の箇所および前記浴槽の前側フランジ部には、前記複数の仕切り本体部のうち、基端側に位置する１つの仕切り本体部の基端部を水平方向に回転可能に支持する上下一組の軸部、および先端側に位置する他の１つの仕切り本体部の先端部を前記前側フ
ランジ部の長手方向にスライドガイドするための上下一組のスライドガイドレールが設けられ、前記第１の仕切りの全体を、前記前側フランジ部の長手方向に延ばした状態と、２つ折りまたはそれ以上の折り数で折り畳んだ状態とに切り替え設定可能とされている。
【００１６】
このような構成によれば、第１の仕切りの全体構成を簡易にしながらも、第１の領域を適切かつ簡易に開閉可能な扉状とすることができる。
【００１７】
本発明において、好ましくは、前記第２の仕切りは、水平方向の回転を可能とする第２のヒンジ部を介して前記第１の仕切りに連結されている。
【００１８】
このような構成によれば、第２の仕切りの取付け構造の簡素化を図ることができる他、第１および第２の領域を閉塞する際には、まず第１の仕切りによって第１の領域を塞いだ後に、第２の仕切りを第１の仕切りに相対させて水平方向に回転させることによって第２の領域を塞ぐことが可能となり、その操作も容易となる。
【００１９】
本発明のその他の特徴および利点は、添付図面を参照して以下に行なう発明の実施の形態の説明から、より明らかになるであろう。
【図面の簡単な説明】
【００２０】
【図１】（ａ）は、本発明に係るユニットルームの一例を示す平面断面図であり、（ｂ）は、（ａ）のIb−Ib概略断面図であり、（ｃ）は、（ｂ）に示す第１ないし第３の仕切りを理解し易いように模様を付した概略断面図である。
【図２】（ａ）は、図１に示すユニットルームの第１および第２の仕切りを開いた状態の平面断面図であり、（ｂ）は、（ａ）のIIb−IIb概略断面図である。
【図３】図１に示すユニットルームの第３の仕切りを示す要部分解断面図である。
【発明を実施するための形態】
【００２１】
以下、本発明の好ましい実施の形態について、図面を参照して具体的に説明する。
【００２２】
図１（ａ），（ｂ）に示すユニットルームＵＲは、平面視略矩形断面状のユニット筐体４内に、浴槽５が設置された浴槽スペースＳａと、これに隣接した洗面スペースＳｂとが設けられ、さらには後述する第１ないし第３の仕切り１〜３が設けられた構成である。
【００２３】
洗面スペースＳｂには、洗面ボウル６、便器７０、および出入り口用の扉７１などが設置されている。洗面ボウル６は、ユニット筐体４の壁部４ａに取り付けられているが、この洗面ボウル６の一部分は、浴槽５の前側フランジ部５０の長手方向一端部（ユニット筐体４の壁部４ａ寄りの部分）の上側に重なったオーバラップ部６ａとされている。洗面ボウル６用のカラン（混合栓）６０は、オーバラップ部６ａの上側に設けられ、かつその先端側パイプ６０ａは水平方向に回転操作可能である。このことにより、カラン６０は、図１（ａ）に示すように、先端側パイプ６０ａが浴槽５上に位置して浴槽５への湯水の落とし込みが可能な状態と、図２（ａ）に示すように、先端側パイプ６０ａが洗面ボウル６上に位置して洗面用の湯水供給が可能な状態とに切り替え設定可能である。
【００２４】
第１ないし第３の仕切り１〜３は、図１（ｃ）において、網点模様、クロスハッチング、および波模様がそれぞれ付されている部材である。
【００２５】
第１の仕切り１は、浴槽５の前側フランジ部５０の上方領域のうち、洗面ボウル６のオーバラップ部６ａよりも前側フランジ部５０の長手方向他端部寄り（壁部４ｂ寄り）の第１の領域Ａ１を開閉可能とする扉状の部材である。より具体的には、この第１の仕切り１は、たとえば浴室用ドアなどとしてよく採用される２つ折りドアと同様な構成であり、２
枚の矩形パネル状の仕切り本体部１０，１１が、可撓性を有する第１のヒンジ部１２を介して連結された構成である。仕切り本体部１０，１１のそれぞれは、たとえば矩形状の樹脂製またはアルミ製の枠体内に薄手の樹脂製プレートが嵌め込まれたような構成とされているが、これに限定されず、たとえば１枚の樹脂製プレート材を用いただけの構成とすることもできる（この点は、後述する第２の仕切り２の仕切り本体部２０についても同様である）。
【００２６】
２枚の仕切り本体部１０，１１のうち、基端側に位置する仕切り本体部１０の基端部は、天井壁４ｃおよび前側フランジ部５０に設けられた上下一対の軸部８ａ，８ｂに支持されていることにより、軸部８ａ，８ｂを通過する中心線Ｃ周りに回転可能である。他方、先端側に位置する仕切り本体部１１の先端部は、天井壁４ｃおよび前側フランジ部５０に設けられたスライドガイドレール８ｃ，8ｄに嵌合するガイド部材１７ａ，１７ｂを備えており、スライドガイドレール８ｃ，８ｄに沿ってスライド移動可能とされている。このことにより、第１の仕切り１は、図１に示すように、全体が延びた形態となって第１の領域Ａ１を塞いだ状態と、図２に示すように、第１の領域Ａ１を開放状態とし、かつ壁部４ｂ側において折り畳まれた状態とに切り替えることが可能である。
【００２７】
第２の仕切り２は、洗面ボウル６のオーバラップ部６ａの上方の第２の領域Ａ２を開閉可能とする扉状の部材である。この第２の仕切り２は、たとえば第２の領域Ａ２に対応する形状およびサイズに形成された矩形パネル状の１枚の仕切り本体部２０が、可撓性を有する第２のヒンジ部２１を介して第１の仕切り１の先端部（先端側に位置する仕切り本体部１１の先端部）に対して水平方向への回転が可能なように連結された構成である。図１に示すように、第１の仕切り１によって第１の領域Ａ１を塞いだ状態において、第２の仕切り２の先端部２ａを壁部４ａに当接するように設定することにより、第２の領域Ａ２を第２の仕切り２によって塞ぐことが可能である。
【００２８】
ユニット筐体４の壁部４ａには、好ましくは、第２の仕切り２の先端部２ａとの当接が図られるストッパ部４９が設けられている。さらに好ましくは、ストッパ部４９および第２の仕切り２の先端部２ａには、磁石とこの磁石との磁力吸着が可能な部材とが設けられ、第２の仕切り２を前記したような閉状態に設定した際には、磁力吸着作用によって第２の仕切り２をストッパ部４９に対して安定的に当接保持させ得る構成とされている。勿論、これに代えて、ストッパ部４９に第２の仕切り２の先端部２ａを係合させるなど、他の手段を採用することもできる。図２に示すように、第２の仕切り２は、第１の仕切り１を２つ折り状に折り畳んだ際には、この部分に重ね合わせるように設定することが可能である。
【００２９】
第３の仕切り３は、図３に示すように、洗面ボウル６の下面部と浴槽５の前側フランジ部５０との間に形成された隙間としての第３の領域Ａ３を塞ぐためのものである。この第３の仕切り３は、第３の領域Ａ３に対応した形状およびサイズに形成されたパネル状であり、前側フランジ部５０、洗面ボウル６の下面、および壁部４ａの少なくともいずれかの部分に接着剤などを利用して体裁良く固定状態に取り付けられている。なお、清掃性などを考慮し、第３の仕切り３を第３の領域Ａ３から取り外し可能な状態に設けてもよい。
【００３０】
次に、前記したユニットルームＵＲの作用について説明する。
【００３１】
まず、洗面ボウル６の一部分は、浴槽５の前側フランジ部５０の上側に重なったオーバラップ部６ａとされているため、浴槽５と洗面ボウル６との配置スペース効率を高め、ユニットルームＵＲの全体の小サイズ化を図ることが可能である。また、カラン６０を浴槽５用と洗面ボウル６用とに兼用することも容易に実現できる。
【００３２】
次いで、浴槽スペースＳａにおいて、たとえばシャワーを浴びるような際には、図１に示すように、第１および第２の仕切り１，２によって、第１および第２の領域Ａ１，Ａ２を塞ぐことにより、シャワー水が洗面スペースＳｂ側に飛散しないようにすることが可能である。第３の領域Ａ３も、第３の仕切り３によって塞がれているため、洗面スペースＳｂ側へシャワー水が飛散することは、より徹底して防止される。その結果、洗面スペースＳｂの床や壁が濡れるようなことを適切に防止することができる。
【００３３】
一方、浴槽５を利用しない場合には、図２に示すように、第１および第２の仕切り１，２を壁部４ｂ側に沿わせて偏平な状態に折り畳んでおくことができる。このため、第１および第２の仕切り１，２が、ユニットルームＵＲ内において、大きく嵩張ることを回避し、洗面スペースＳｂを利用するユーザに圧迫感を与えないようにすることができる。なお、第１および第２の仕切り２は、パネル状であるため、これらが汚れた際の拭き掃除などは容易であり、メンテンスの作業性もよい。
【００３４】
本発明は、上述した実施形態に限定されない。本発明に係るユニットルームの各部の具体的な構成は、本発明の意図する範囲内において種々に設計変更自在である。
【００３５】
上側のスライドガイドレール８ｃや、上側の軸部８ａは、第１の仕切り１よりも高い箇所に設けられていればよく、必ずしも天井壁４ｃに設けられていなくてもよい。たとえば、天井壁４ｃよりもやや低い位置において、２つの壁部４ａ，４ｂ間に梁状の部材を架け渡し状態に取り付け、この梁状の部材に上側のスライドガイドレール８ｃや、上側の軸部８ａを設けた構成とすることもできる。前記した梁状の部材の上側に多少の隙間が仮に発生するとしても、この隙間はかなり高い位置にあるため、この隙間を通過して湯水が浴槽スペースＳａから洗面スペースＳｂ側に飛散することは殆どない。
【００３６】
第１の仕切りは、二つ折り状、あるいはそれ以上の折り数で折り畳み可能とされたタイプの扉状に限らず、これ以外の様々なタイプの扉状（たとえば、全体が水平方向に回転する回転方式の扉、複数枚のパネル状の仕切り本体部を互い違い状の位置でスライド可能とする引き戸方式の扉、吊り扉方式の扉など）とすることが可能である。
第２の仕切りは、第１の仕切りに回転可能に連結させた構成に代えて、たとえばユニットルームの壁部（上述の実施形態の壁部４ａ）に水平方向への回転が可能な状態に支持させた構成とすることも可能である。
第３の仕切りについては、第３の領域が狭いような場合には、この第３の仕切りを省略した構成とすることも可能である。
【００３７】
洗面スペースには、一般的には、洗面ボウルに加え、便器も設置されるが、本発明でいう洗面スペースは、便器が設置されていることを要件とするものではない。
【符号の説明】
【００３８】
ＵＲ  ユニットルーム
Ａ１〜Ａ３  第１ないし第３の領域
Ｓａ  浴槽スペース
Ｓｂ  洗面スペース
１  第1の仕切り
１０，１１  仕切り本体部
１２  第１のヒンジ部
２  第2の仕切り
２０  仕切り本体部
２１  第２のヒンジ部
３  第3の仕切り
５  浴槽
５０  前側フランジ部（浴槽の）
６  洗面ボウル
６ａ  オーバラップ部
８ａ，８ｂ  軸部
８ｃ，８ｄ  スライドガイドレール
【図１】
0006620929.tif 000002
【図２】
0006620929.tif 000003
【図３】
0006620929.tif 000004